【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
（ａ）３６個未満の炭素原子を有する１種類以上の脂肪族有機酸またはその塩と；
（ｂ）少なくとも１種類のＥ／Ｘ／Ｙコポリマー（エチレン酸コポリマー）または前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択されるコモノマーから誘導され、前記アルキル基は１〜８個の炭素原子を有し、Ｘは、前記Ｅ／Ｘ／Ｙコポリマーの約３〜約３０重量％であり、Ｙは、前記Ｅ／Ｘ／Ｙコポリマーの０〜約３５重量％であり、（ａ）＋（ｂ）の全酸部分のすべての７０％超が、対応する金属塩に中和されている）と；
（ｃ）（１）エチレン含有ホモポリマーおよび／またはコポリマー；（２）シリコーン含有ポリマーからなる群より選択される少なくとも１種類の追加のポリマーまたはポリマーの組み合わせとを含むブレンドから得られた、モノリシックフィルム。
【請求項２】
（ａ）３６個未満の炭素原子を有する１種類以上の脂肪族有機酸またはその塩と；
（ｂ）少なくとも１種類のＥ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸（エチレン酸コポリマー）から誘導され、Ｙは、アクリル酸アルキルおよびメタクリル酸アルキルから選択されるコモノマーから誘導され、前記アルキル基は１〜８個の炭素原子を有し、Ｘは、前記Ｅ／Ｘ／Ｙコポリマーの約３〜約３０重量％であり、Ｙは、前記Ｅ／Ｘ／Ｙコポリマーの０〜約３５重量％であり、（ａ）＋（ｂ）の全酸部分のすべての７０％超が、対応する金属塩に中和されている）と；および
（ｃ）エチレン含有ホモポリマーおよび／またはコポリマー；少なくとも１種類のシリコーン含有ポリマーからなる群より選択される少なくとも１種類の追加のポリマーまたはポリマーの組み合わせとを含むブレンドから得られる少なくとも１つのフィルム層を含む多層フィルム。
【請求項３】
請求項１に記載のフィルムを含む、包装材料。
【請求項４】
請求項２に記載のフィルムを含む、包装材料。
【手続補正２】
【補正対象書類名】明細書
【補正対象項目名】００９７
【補正方法】変更
【補正の内容】
【００９７】
以上のように、ある程度詳細に本発明を説明し例示してきたが、特許請求の範囲は、そのように限定されるものではなく、特許請求の範囲の各要素の表現およびそれらの同等物と同等の範囲を有するものと認識すべきである。
次に、本発明の好ましい態様を示す。
1.  （ａ）３６個未満の炭素原子を有する１種類以上の脂肪族有機酸またはその塩と；
（ｂ）少なくとも１種類のＥ／Ｘ／Ｙコポリマー（エチレン酸コポリマー）または前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択されるコモノマーから誘導され、前記アルキル基は１〜８個の炭素原子を有し、Ｘは、前記Ｅ／Ｘ／Ｙコポリマーの約３〜約３０重量％であり、Ｙは、前記Ｅ／Ｘ／Ｙコポリマーの０〜約３５重量％であり、（ａ）＋（ｂ）の全酸部分のすべての７０％超が、対応する金属塩に中和されている）と；
（ｃ）（１）エチレン含有ホモポリマーおよび／またはコポリマー；（２）シリコーン含有ポリマーからなる群より選択される少なくとも１種類の追加のポリマーまたはポリマーの組み合わせとを含むブレンドから得られた、モノリシックフィルム。
2.  （ａ）および（ｂ）の前記酸部分が約８０％を超えて公称中和されている、上記１に記載のフィルム。
3.  前記金属塩が、カルシウムおよび／またはマグネシウムの陽イオンから実質的になる、上記２に記載のフィルム。
4.  前記金属塩がカルシウム陽イオンから実質的になる、上記３に記載のフィルム。
5.  前記金属塩がマグネシウム陽イオンから実質的になる、上記３に記載のフィルム。
6.  （ａ）および（ｂ）の前記酸部分が約８０％を超えて公称中和されている、上記５に記載のフィルム。
7.  （ａ）および（ｂ）の前記酸部分が約９０％を超えて公称中和されている、上記６に記載のフィルム。
8.  （ａ）および（ｂ）の前記酸部分が約９１〜約１００％公称中和されている、上記７に記載のフィルム。
9.  部分（ａ）の前記有機酸が、前記不飽和カルボン酸コポリマーまたはアイオノマー１００重量部当たり、約５〜約１５０重量部の量で存在する、上記８に記載のフィルム。
10.  部分（ａ）の前記有機酸が、前記不飽和カルボン酸コポリマーまたはアイオノマー１００重量部当たり、約２５〜約８０重量部の量で存在する、上記９に記載のフィルム。
11.  Ｘが、前記不飽和カルボン酸コポリマー中に、前記ポリマーの約４〜約２５重量パーセントの量で存在する、上記１０に記載のフィルム。
12.  Ｘが前記ポリマーの約５〜約２０重量パーセントの量で存在する、上記１１に記載のフィルム。
13.  Ｙが前記ポリマーの０重量パーセントである、上記１０に記載のフィルム。
14.  Ｙが前記ポリマーの０．１〜３５重量パーセントで存在する、上記１３に記載のフィルム。
15.  Ｙが前記ポリマーの５〜３０重量パーセントで存在する、上記１４に記載のフィルム。
16.  Ｙが、１〜６個の炭素原子を有するアルキル基を有する（メタ）アクリル酸アルキルからなる群のモノマーから選択される、上記１５に記載のフィルム。
17.  Ｙが、１〜４個の炭素原子を有するアルキル基を有する（メタ）アクリル酸アルキルからなる群のモノマーから選択される、上記１６に記載のフィルム。
18.  成分（ｃ）が、ＬＤＰＥ；ＬＬＤＰＥ；ＵＬＤＰＥ；ＶＬＤＰＥ；ｍＰＥ；エチレンプロピレンコポリマー；エチレン／プロピレン／ジエンモノマー（ＥＰＤＭ）コポリマー；ならびに、エチレンと、（メタ）アクリル酸アルキル、酢酸ビニル、ＣＯ、無水マレイン酸、および無水マレイン酸誘導体からなる群より選択される少なくとも１種類のコモノマーとの共重合から誘導されるエチレンコポリマーからなる群より選択されるエチレン含有ポリマーを含む、上記１７に記載のフィルム。
19.  成分（ｃ）の前記エチレン含有コポリマーが酢酸ビニルまたは（メタ）アクリル酸アルキルを含む、上記１８に記載のフィルム。
20.  前記成分（ｃ）のケイ素含有ポリマーが、エチレンビニルシランコポリマー；ポリシロキサン；およびシリコーンゴムからなる群より選択される、上記１６に記載のフィルム。
21.  （ａ）３６個未満の炭素原子を有する１種類以上の脂肪族有機酸またはその塩と；
（ｂ）少なくとも１種類のＥ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸（エチレン酸コポリマー）から誘導され、Ｙは、アクリル酸アルキルおよびメタクリル酸アルキルから選択されるコモノマーから誘導され、前記アルキル基は１〜８個の炭素原子を有し、Ｘは、前記Ｅ／Ｘ／Ｙコポリマーの約３〜約３０重量％であり、Ｙは、前記Ｅ／Ｘ／Ｙコポリマーの０〜約３５重量％であり、（ａ）＋（ｂ）の全酸部分のすべての７０％超が、対応する金属塩に中和されている）と；および
（ｃ）エチレン含有ホモポリマーおよび／またはコポリマー；少なくとも１種類のシリコーン含有ポリマーからなる群より選択される少なくとも１種類の追加のポリマーまたはポリマーの組み合わせとを含むブレンドから得られる少なくとも１つのフィルム層を含む多層フィルム。
22.  少なくとも第１のフィルム層とは異なる組成の（ａ）、（ｂ）、および（ｃ）のブレンドを含む少なくとも第２のフィルム層を含む、上記２１に記載の多層フィルム。
23.  少なくとも第２の層を含み、前記第２の層が：
（ｅ）３６個未満の炭素原子を有する１種類以上の脂肪族有機酸またはその塩と；
（ｆ）１種類以上のＥ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択される軟化性コモノマーから誘導され、前記アルキル基は１〜８個の炭素原子を有し、Ｘは、前記Ｅ／Ｘ／Ｙコポリマーの約３〜約３５重量％であり、Ｙは、前記Ｅ／Ｘ／Ｙコポリマーの０〜約３５重量％であり、（ｅ）および（ｆ）の酸部分のすべての約７０％超が中和されている）とのブレンドを含む、上記２１に記載の多層フィルム。
24.  １種類以上のエチレン含有ポリマーから実質的になる少なくとも１つの別のポリマー層（ｉｉ）を含む、上記２１に記載の多層フィルム。
25.  （ｉｉ）の前記１種類以上のエチレン含有ポリマーが、ＬＤＰＥ、ＬＬＤＰＥ、ＵＬＤＰＥ、ＶＬＤＰＥ、ｍＰＥ、エチレンプロピレンコポリマー、エチレン／プロピレン／ジエンモノマー（ＥＰＤＭ）コポリマーなどのポリエチレンホモポリマーおよびコポリマー；ならびに、エチレンと、（メタ）アクリル酸、（メタ）アクリル酸アルキル、酢酸ビニル、無水マレイン酸、マレイン酸、マレイン酸モノエステル、およびＣＯからなる群より選択される少なくとも１種類の極性コモノマーとの共重合から誘導されるエチレンコポリマーからなる群より選択され、酸性基を含むコポリマー（たとえば（メタ）アクリル酸）は、任意選択的に、少なくとも部分的に中和されている、上記２４に記載の多層フィルム。
26.  （ｉｉ）がグラフトコポリマーを含む、上記２５に記載の多層フィルム。
27.  （ｉｉ）がエチレンと酢酸ビニルとのコポリマーから実質的になる、上記２５に記載の多層フィルム。
28.  少なくとも３つのポリマー層を含み、その外層がエチレン／酢酸ビニルコポリマーから実質的になる、上記２７に記載の多層フィルム。
29.  少なくとも２つの層を含み、追加のポリマー層の少なくとも１つが、エチレンと（メタ）アクリル酸アルキルとのコポリマーから実質的になる、上記２５に記載の多層フィルム。
30.  少なくとも３つのポリマー層を含み、その外層のそれぞれが、エチレンと（メタ）アクリル酸アルキルとのコポリマーから実質的になる、上記２５に記載の多層フィルム。
31.  （ｉｉ）が、０．９１ｇ／ｃｃ未満の密度を有するメタロセンポリエチレン；または０．９１ｇ／ｃｃ未満の密度を有するメタロセンポリエチレンと低密度ポリエチレンとのブレンドから実質的になる、上記２４に記載の多層フィルム。
32.  少なくとも３つのポリマー層を含み、その外層が、０．９１ｇ／ｃｃ未満の密度を有するメタロセンポリエチレン；または０．９１ｇ／ｃｃ未満の密度を有するメタロセンポリエチレンと低密度ポリエチレンとのブレンドから実質的になる、上記３１に記載の多層フィルム。
33.  （ｉｉ）が、Ｅ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択される軟化性コモノマーから誘導され、Ｘは、前記Ｅ／Ｘ／Ｙコポリマーの約３〜３５重量％であり、Ｙは、前記Ｅ／Ｘ／Ｙコポリマーの０〜約３５重量％であり、Ｘ中の前記酸の約０％〜約９０％が中和されている）から実質的になる、上記２４に記載の多層フィルム。
34.  少なくとも３つのポリマー層を含み、その外層が（ｉｉ）の前記アイオノマーから実質的になる、上記３３に記載の多層フィルム。
35.  少なくとも３つのポリマー層を含み、少なくとも１つのポリマー層（ｉｉ）が、Ｅ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択される軟化性コモノマーから誘導され、Ｘは、前記Ｅ／Ｘ／Ｙコポリマーの約３〜３５重量％であり、Ｙは、前記Ｅ／Ｘ／Ｙコポリマーの０〜約３５重量％であり、前記酸の約０％〜約９０％が中和されている）から実質的になり；少なくとも１つの追加のポリマー層（ｉｉｉ）が、０．９１ｇ／ｃｃ未満の密度を有するメタロセンポリエチレン；または０．９１ｇ／ｃｃ未満の密度を有するメタロセンポリエチレンと低密度ポリエチレンとのブレンドから実質的になる、上記２４に記載の多層フィルム。
36.  少なくとも３つのポリマー層を含み、１つのポリマー層（ｉｉ）が、Ｅ／Ｘ／Ｙコポリマーまたは前記Ｅ／Ｘ／Ｙコポリマーのアイオノマー（式中、Ｅはエチレンから誘導され、Ｘは少なくとも１種類のＣ3〜Ｃ8α，β−エチレン系不飽和カルボン酸から誘導され、Ｙは、アクリル酸アルキルおよびメタクリル酸アルキルから選択される軟化性コモノマーから誘導され、Ｘは、前記Ｅ／Ｘ／Ｙコポリマーの約３〜３５重量％であり、Ｙは、前記Ｅ／Ｘ／Ｙコポリマーの０〜約３５重量％であり、Ｘ中の前記カルボン酸の約０％〜約９０％が中和されている）から実質的になり；少なくとも１つの追加のポリマー層（ｉｉｉ）が、エチレンと酢酸ビニルとのコポリマー、またはエチレンと（メタ）アクリル酸アルキルとのコポリマーから実質的になる、上記２４に記載の多層フィルム。
37.  上記１に記載のフィルムを含む、包装材料。
38.  上記２１に記載のフィルムを含む、包装材料。